(57)【要約】      （修正有） 【課題】タブレットＰＣなどのタッチパネル式電子機器を、滅菌された状態で手術室などの無菌状態の室内に持ち込んで使用することが可能な、タッチパネル式電子機器の収納袋を提供する。【解決手段】本収納袋は、収納した状態でも操作可能な透過性の素材からなる内袋２にタッチパネル式電子機器を収納し、この内袋を滅菌袋に収納する構造となっているため、滅菌袋に収納された内袋にタッチパネル式電子機器を収納して滅菌状態の手術室等に持ち込み、室内で外袋１から内袋を取り出せば、滅菌された状態で内袋の上からタッチパネルを操作することが可能となっている。【選択図】図１
0003167567.tif 000002
【実用新案登録請求の範囲】
【請求項１】
内袋を収納する滅菌袋である外袋と、タッチパネル式電子機器を収納する内袋とからなり、内袋のタッチパネル式電子機器を収納した状態でタッチパネルと接する面は、指先又はペンによる操作をタッチパネルが検知できる透過性の素材からなることを特徴とするタッチパネル式電子機器の収納袋。
【請求項２】
外袋と内袋は共通の開口部を有し、開口部以外の部分では、内袋が外袋に密封されるように外袋の外縁部がシールされていることを特徴とする請求項１記載のタッチパネル式電子機器の収納袋。
【請求項３】
外袋の外縁部は容易に剥離できる熱シール、接着剤等によってシールされていることを特徴とする請求項２記載のタッチパネル式電子機器の収納袋。
【請求項４】
内袋の開口部の内面には、内袋内部を密封するためのチャックが設けられていることを特徴とする請求項１乃至３いずれかに記載のタッチパネル式電子機器の収納袋。
【請求項５】
内袋のタッチパネル式電子機器を収納した状態でタッチパネルと接する面の逆側となる面の外面には、内袋を置いた場所に固定するための貼付部が設けられていることを特徴とする請求項１乃至４いずれかに記載のタッチパネル式電子機器の収納袋。
【考案の詳細な説明】
【技術分野】
【０００１】
本考案は、タッチパネル式電子機器を滅菌された状態で無菌状態の室内に持ち込んで使用するための収納袋に関するものである。
【背景技術】
【０００２】
近年、いわゆるタブレットＰＣやスマートフォンなど、タッチパネルで操作する携帯型端末が広く用いられるようになっている。こうしたタッチパネル式電子機器の操作性を保ちながら、外的な衝撃から保護するためのケースが提供されるようになっており、ケースへの収納を容易にするための発明が開示されている（例えば、特許文献１、２参照）。
【０００３】
【特許文献１】特開２００８−２０９７６３号公報
【特許文献２】特開２０１０−０８６５３０号公報
【考案の開示】
【考案が解決しようとする課題】
【０００４】
タブレットＰＣなどのタッチパネル式電子機器は、個人用のみでなく、業務用としても様々な場面で利用されるようになっているが、その視覚性や携帯性、豊富な情報量から、医療現場で利用される機会も多くなっている。医療現場では、一般的な業務用途では生じない固有のニーズが生じることがあり、例えば、手術室のように無菌状態が維持されている場所にタッチパネル式電子機器を持ち込みたい場合がある。
【０００５】
しかしながら、日常的に使用するタッチパネル式電子機器の表面には様々な菌が付着しているのが通常であるため、そのまま手術室に持ち込むことはできない。タッチパネル式電子機器の表面を滅菌して持ち込むことも、加熱や化学処理によって滅菌するとタッチパネル式電子機器を故障させてしまうおそれがあるため困難である。
【０００６】
本考案は、このような課題を解決するためになされたものであり、タブレットＰＣなどのタッチパネル式電子機器を、滅菌された状態で手術室などの無菌状態の室内に持ち込んで使用することが可能な、タッチパネル式電子機器の収納袋を提供することを目的とするものである。
【課題を解決するための手段】
【０００７】
このような課題を解決する本考案は、内袋を収納する滅菌袋である外袋と、タッチパネル式電子機器を収納する内袋とからなり、内袋のタッチパネル式電子機器を収納した状態でタッチパネルと接する面は、指先又はペンによる操作をタッチパネルが検知できる透過性の素材からなることを特徴とするタッチパネル式電子機器の収納袋である。
【０００８】
本考案では、収納した状態でも操作可能な透過性の素材からなる内袋にタッチパネル式電子機器を収納し、この内袋を滅菌袋に収納する構造となっているため、滅菌袋に収納された内袋にタッチパネル式電子機器を収納して滅菌状態の手術室等に持ち込み、室内で外袋から内袋を取り出せば、滅菌された状態で内袋の上からタッチパネルを操作することが可能となっている。
【０００９】
また、本考案の好ましい形態では、外袋と内袋は共通の開口部を有し、開口部以外の部分では、内袋が外袋に密封されるように外袋の外縁部がシールされていることを特徴とすることもできる。
【００１０】
このように構成すると、収納袋の利用者は、開口部からタッチパネル式電子機器を収納して開口部を閉じるだけの簡単な作業によって、タッチパネル式電子機器を滅菌状態の手術室等に持ち込むことが可能になる。
【００１１】
また、本考案の好ましい形態では、外袋の外縁部は容易に剥離できる熱シール、接着剤等によってシールされていることを特徴としてもよい。
【００１２】
このように構成すると、収納袋の利用者は、タッチパネル式電子機器を収納した収納袋を滅菌状態の手術室等に持ち込んだ後に、外袋の外縁部のシールを剥がずことによって、タッチパネル式電子機器を容易に使用可能な状態にすることができる。
【００１３】
また、本考案の好ましい形態では、内袋の開口部の内面には、内袋内部を密封するためのチャックが設けられていることを特徴としてもよい。
【００１４】
このように構成すると、収納袋の利用者は、開口部からタッチパネル式電子機器を収納して開口部を閉じる際に、チャックを閉めるだけの簡単な作業によって、袋内を密封することが可能になる。
【００１５】
また、本考案の好ましい形態は、内袋のタッチパネル式電子機器を収納した状態でタッチパネルと接する面の逆側となる面の外面には、内袋を置いた場所に固定するための貼付部が設けられていることを特徴としてもよい。
【００１６】
このように構成すると、収納袋の利用者が滅菌状態の手術室等で内袋を取り出してタッチパネル式電子機器を使用する際に、タッチパネルの逆側の面をオイフ（ドレープ）や台などに固定させることができるので、タッチパネル式電子機器の収納された内袋を床に落として汚れてしまうことを防止するのに効果的である。
【考案の効果】
【００１７】
本考案によって、タブレットＰＣなどのタッチパネル式電子機器を、滅菌された状態で手術室などの無菌状態の室内に持ち込んで使用することが可能になるので、医療現場などでの利便性の向上に貢献することが期待される。また、クリーンルームへのタッチパネル式電子機器の持ち込みなど、産業用途での利用によって工場や研究機関などでの作業効率の向上に資することも期待される。
【図面の簡単な説明】
【００１８】
【図１】本考案にかかるタッチパネル式電子機器の収納袋の斜視図（タッチパネル式電子機器が収納されていない状態）である。
【図２】本考案にかかるタッチパネル式電子機器の収納袋の斜視図（タッチパネル式電子機器が収納されている状態）である。
【図３】本考案にかかるタッチパネル式電子機器の収納袋の正面図である。
【図４】本考案にかかるタッチパネル式電子機器の収納袋の断面図である。
【図５】本考案にかかるタッチパネル式電子機器の収納袋の内袋の背面図である。
【考案を実施するための形態】
【００１９】
本考案の実施の形態について、図１〜図５を用いて以下に詳細に説明する。尚、以下の説明は、本考案にかかるタッチパネル式電子機器の収納袋の実施形態の一例を示したものであって、本考案の形状や構造等は、図１〜図５に示した例に限定されるものではない。
【００２０】
本考案にかかるタッチパネル式電子機器の収納袋は、図１に示したように、外袋１と内袋２が二重構造となっている収納袋である。外袋１には、医療用等で用いられている滅菌袋を用いるのに対して、内袋２には、ポリ袋等の指先又はペンによる操作をタッチパネルが検知できる透過性の素材の袋を用いる。内袋２は、外袋１と共通の開口部３を除き、外袋１に密封された状態となっている。
【００２１】
タブレットＰＣなどのタッチパネル式電子機器を、手術室のように滅菌状態の室内に持ち込んで使用したい場合には、開口部３からタッチパネル式電子機器を内袋２の内側に挿入する。そのため、開口部３は、一般的なサイズのタッチパネル式電子機器が挿入できる程度の幅をもって開口していることが必要である。この状態でチャック４を閉じて、内袋２の内部を密封する。尚、タッチパネル式電子機器を密封する構造はチャック４に限られるものではなく、シールによって貼り付けるなど、内袋２の内部が密封できる構造となっていればよい。
【００２２】
図２は、収納袋にタッチパネル式電子機器が収納された状態を示している。この状態でタッチパネル式電子機器を使用したい手術室などの滅菌状態の室内に持ち込み、外袋１を剥がすことによって内袋２を露出させる。
【００２３】
外袋１から取り出された内袋２は、チャック４が閉じられているので、表面に様々な菌が付着したタッチパネル式電子機器は内袋２の内部に密封され、かつ、内袋２の外面は外袋１に密封されているので、滅菌された状態となっている。さらに、内袋２は指先又はペンによる操作をタッチパネルが検知できる透過性の素材からなるため、内袋２の外面からタッチパネルを操作することで、滅菌状態の室内でもタッチパネル式電子機器を使用することが可能になる。
【００２４】
図３は、本考案にかかるタッチパネル式電子機器の収納袋の正面図であるが、外袋１の外縁部は熱シールや接着剤などによってシールされ、内袋２を密封している。この接着剤等には、タッチパネル式電子機器を使用する際に内袋２を取り出しやすいように、剥離しやすいものを用いることが好ましい。
【００２５】
外袋１の外縁部のシールは、外袋１の内面を貼り合わせるものであってもよいし、外袋１の内面と内袋２の外面を貼り合わせるものであってもよいが、外縁部のうち開口部３に当たる部分は、外袋１と内袋２の開口部３を共通にすることができるように、図４の断面図のシール部５に示したように、外袋１の内面と内袋２の外面が貼り合わされていて、シール部５はできるだけ開口部３の端に近い部分にあることが好ましい。使用前の状態においては、チャック４を閉じるとともに開口部３の上部を両面テープやシールで止め、使用前に菌が袋内に入らないようにしておく。
【００２６】
尚、内袋２のうち、タッチパネル式電子機器を収納した状態でタッチパネルと接する面については、ポリ袋等の指先又はペンによる操作をタッチパネルが検知できる透過性の素材を用いることが必須の要件となるが、タッチパネルとは接しない部分、例えば、内袋２の外縁部やタッチパネルの裏面と接する面については、透過性でない素材を用いることとしてもよい。
【００２７】
図５は、本考案にかかるタッチパネル式電子機器の収納袋の内袋２を背面（タッチパネルの裏面に接する側）から見た図である。内袋２の外面には、面ファスナー（オス）６が貼り付けられている。これに裏面が両面テープとなった面ファスナー（メス）７を貼り合わせておく。
【００２８】
手術室などの滅菌状態の室内で内袋２を取り出してタッチパネル式電子機器を使用する際には、面ファスナー（メス）７を剥離し、手術室内でオイフ（ドレープ）の手術の邪魔にならない部分や周囲にある台などに、両面テープで面ファスナー（メス）７を貼り付ける。そして、内袋２の外面にある面ファスナー（オス）６と貼り合わせると、内袋２が固定され、床に落として汚れてしまうことを防止するのに効果的である。
【００２９】
ここで用いられる面ファスナー（オス）６と面ファスナー（メス）７のサイズは特に限定されるものではないが、内袋２を安定的に固定させるためには、面ファスナー（オス）６より面ファスナー（メス）７を大きなサイズとすることが好ましい。例えば、タブレットＰＣの一般的なサイズを前提にするならば、面ファスナー（オス）６を５ｃｍ角、面ファスナー（メス）７を１５ｃｍ角程度とすると、内袋２を固定しやすくなる。
【００３０】
また、内袋２を固定する貼付用の部材は、面ファスナーに限定されるものではない。例えば、貼付部自体を両面テープにして、内袋２とオイフ（ドレープ）等を両面テープで直接固定することとしてもよい。
【符号の説明】
【００３１】
１    外袋（滅菌袋）
２    内袋（ポリ袋）
３    開口部
４    チャック
５    シール部
６    面ファスナー（オス）
７    面ファスナー（メス）
【図１】
0003167567.tif 000003
【図２】
0003167567.tif 000004
【図３】
0003167567.tif 000005
【図４】
0003167567.tif 000006
【図５】
0003167567.tif 000007